(57)【要約】      （修正有）【課題】温風装置の送風口の前面に配置して温風を任意地点に送風する送風管に対して、送風管を支持しつつ送風管の取入口と温風装置の送風口との距離を保たせ、送風管等に外力が作用しても送風管の取入ロの位置を初期位置に維持することが可能な送風管の位置決め装置を提供する。【解決手段】温風装置２１の送風口２２の前面に配置しで温風を任意地点に送風する送風管１１に対し、該送風管１１を支持しつつ、送風管１１の取入口１２と温風装置２１の送風口２２との距離を保つ送風管の位置決め装置であって、送風管１１の支持部を有する支持体１と、該支持体１の前面に設けられ、かつ送風管１１の取入ロ１２と温風装置２１の送風口２２との距離を保つ間隔保持体３と、該間隔保持体３の先端に設けられ、かつ温風装置２１と着脱可能な吸着手段４とを備えることを特徴とする。【選択図】図２
0003167643.tif 000002
【実用新案登録請求の範囲】
【請求項１】
温風装置(21)の送風口(22)の前面に配置して温風を任意地点に送風する送風管(11)に対し、送風管(11)を支持しつつ、送風管(11)の取入口(12)と温風装置(21)の送風口(22)との距離を保つ送風管の位置決め装置であって、送風管(11)の支持部(2)を有する支持体(1)と、支持体(1)の前面に設けられ、かつ送風管(11)の取入口(12)と温風装置(21)の送風口(22)との距離を保つ間隔保持体(3)と、間隔保持体(3)の先端に設けられ、かつ温風装置(21)と着脱可能な吸着手段(4)と、を備えることを特徴とする送風管の位置決め装置。
【請求項２】
前記間隔保持体(3)は弾性体で構成され、前記吸着手段(4)は磁石で構成されることを特徴とする請求項１記載の送風管の位置決め装置。
【考案の詳細な説明】
【技術分野】
【０００１】
本考案は、送風管の位置決め装置に関するものである。
【背景技術】
【０００２】
冬季の寒冷地では、暖房のため石油ファンヒーター等の温風装置が多用されている。そして、近年、光熱費の節約またはCO2の削減の観点から、温風装置の温風の一部を利用しコタツや隣室を温めるために、蛇腹の送風管が使用されるようになってきた。
【０００３】
この送風管は、スタンド等で支持することによりその取入ロを温風装置の送風口に対向させつつ温風を好適に取り込める高さに調整すると共に、温風により過熱しない程度に温風装置と水平距離を保って設置し、また放出ロを暖房対象となる空間に配置しておく。そして温風装置の駆動により温風が送風されると、取入口より温風が取り入れられ、放出口より温風が放出され、対象空間が温められる。
【０００４】
しかしながら、上記の暖房によると、送風管の使用にあたり送風管の取入ロの取り付け位置を好適に設定しても、使用中に送風管またはスタンド等に外力が作用する場合、取入ロが初期位置よりずれてしまい好適に温風を取り込むことができなくなることが多々あった。また、時には取入ロが温風装置の送風口に近づきすぎて送風管等が加熱してしまう危険性もあった。
【考案の概要】
【考案が解決しようとする課題】
【０００５】
本考案は上記課題を解決するためになされたものであり、温風装置の送風口の前面に配置して温風を任意地点に送風する送風管に対して、送風管を支持しつつ送風管の取入口と温風装置の送風口との距離を保たせ、送風管等に外力が作用しても送風管の取入ロの位置を初期位置に維持することが可能な送風管の位置決め装置を提供することを目的とする。
【課題を解決するための手段】
【０００６】
上記課題を達成するための請求項１記載の考案は、温風装置の送風口の前面に配置して温風を任意地点に送風する送風管に対し、送風管を支持しつつ、送風管の取入ロと温風装置の送風口との距離を保つ送風管の位置決め装置であって、送風管の支持部を有する支持体と、支持体の前面に設けられ、かつ送風管の取入ロと温風装置の送風口との距離を保つ間隔保持体と、間隔保持体の先端に設けられ、かつ温風装置と着脱可能な吸着手段と、を備えることを特徴とする。
【０００７】
ここで、支持部を設ける高さは、送風管の取入口が温風装置の温風を好適に取り込む高さに設定し、間隔保持体の前後方向の長さは、送風管が加熱しない長さに設定する。
上記考案によると、送風管を支持体の支持部で支持することにより送風管の取入口を温風装置の温風を好適に取り込む高さに支持すると共に、間隔保持体により、送風管の取入口と温風装置の送風口との距離を送風管や支持体が温風により加熱しない距離に保つことができる。また、吸着手段により、送風管の位置決め装置を温風装置に着脱可能に吸着させることができるため、送風管の位置決め装置を温風装置と一体化することができ、また温風装置から取り外すこともできる。
【０００８】
さらに、請求項２記載の考案は、前記間隔保持体は弾性体で構成され、前記吸着手段は磁石で構成されることを特徴とする。
【０００９】
これによると、間隔保持体を弾性体で構成することにより、送風管または支持体等に外力が作用する場合、間隔保持体がばねの役割を果たす。すなわち、送風管等への外力の作用にあわせて間隔保持体が変形し、外力が取り除かれると間隔保持体の形態が元に戻り、支持体および取入口の位置の初期位置に復帰することとなる。
また、吸着手段を磁石で構成することにより、外枠が磁性体である温風装置への送風管の位置決め装置の吸着・取外しが容易となる。
【考案の効果】
【００１０】
請求項１記載の送風管の位置決め装置によると、送風管を支持体で支持することにより送風管の取入口を温風装置の温風を好適に取り込める高さに支持しつつ、取入口と温風装置の送風口との距離を送風管や支持体が温風により加熱しない距離に保つことができる。
また、当該装置は温風装置に着脱可能に吸着させることができるので、吸着させた場合には上記取入口と温風装置の送風口との距離を確実に保たせることができる。また、当該装置を温風装置より取り外して運搬することもでき、様々な場所で当該装置を用いることができる。
【００１１】
請求項２記載の送風管の位置決め装置によると、送風管等に外力が作用しても、外力の作用にあわせて間隔保持体が変形し、外力が取り除かれると間隔保持体の形態が元に戻り、支持体および取入口の位置も初期位置に復帰することとなるので、従来のように外力の作用により設置位置がずれてしまった送風管および支持体を初期位置に戻すといった手間が掛からない。また、吸着手段を磁石とすることにより、外枠が磁性体である温風装置への当該装置の吸着・取外しが容易となる。
【図面の簡単な説明】
【００１２】
【図１】本考案の実施形態を示す斜視図。
【図２】本考案の実施形態の使用状況を示す側面図。
【図３】本考案の実施形態による送風管の支持を示す斜視図。
【考案を実施するための形態】
【００１３】
本考案による送風管の位置決め装置の実施の形態について、図面を用いて説明する。図１は本実施形態の斜視図であり、図２はその使用状況を示す側面図であり、図３は本実施形態による送風管の支持の状況を示す斜視図である。本実施形態は、主に支持体1と、間隔保持体３と、吸着手段４とにより構成される。
【００１４】
支持体１は、送風管１１を支持するためのものであり、土台部５と支持部２とからなる。土台部５は、支持体１が床等に安定的に立設できる構造であればよく、本実施形態では直方体形状の構造を採用している。
支持部２は、送風管１１の外周と同等の大きさの孔からなり、送風管１１の取入ロ１２が温風装置２１の温風を好適に取り込むことができる高さに形成される。支持体１の上部は棒状に形成され、また、支持部２への送風管１１の装着を容易とするためその一部を不連続とする不連続部６を設けて枠７を開閉できるようにしている。なお、枠７を閉じた状態で確実に送風管１１を固定するために、不連続部６にネジ等の固定手段を設けたり、枠７の不連続部６における両端をそれぞれ凹凸状にして枠7の両端をはめ合わせる固定手段を設けたりすることもできる。支持体１の素材は特に限定されるものではないが、開いた枠７が閉じるようにするため、支持体１は弾性体で形成することが望ましい。
なお、支持体１は、送風管１１を所定の高さで支持できる構成であれば上記形態に限定されるものではなく、不連続部６を備えないものであってもよい。また、送風管１１を通す枠部と、枠部に備えられる脚とからなる構成のものであってもよい。
【００１５】
間隔保持体３は、弾性体からなる帯を平面的に見て略三角形の形状となるように環状に形成したものであり、その基端（底面部）は支持体１の前面に取り付けられている。また、三角形の角は曲線形状としている。間隔保持体３の前後方向の距離、すなわち略三角形の底面から頂点までの長さは、送風管１１が加熱しない長さ（距離）に設定する。上記の帯を構成する弾性体としては、板バネに用いられるような復元力のある素材であることが好ましく、例えば鋼または合成樹脂等を用いることができる。
これによると、支持体１や間隔保持体３等に外力が作用すると、外力の作用に合わせて間隔保持体３が変形し、外力が取り除かれると、間隔保持体３は元の形態に復元する。
【００１６】
吸着手段４は、磁石からなり、間隔保持体３の先端部に設けられている。これにより、外枠が磁性体からなる温風装置２１に本実施形態を容易に吸着させることができ、また容易に取外すことができる。
【００１７】
以下、本実施形態の使用方法について説明する。まず、本実施形態を吸着手段４により温風装置２１の下部等に吸着させる。また、支持体1には送風管１１を取り付ける。取り付けは支持体１の枠７を広げて取り付けてもよいし、支持部２に送風管１１を通すことによって取り付けてもよい。最後に、支持体１に支持された送風管１１を前後に移動させることにより、取入ロ１２の長さを微調整することにより、使用準備が整う。
このような状態で、温風装置２１を作動させると、温風が送風管１１の取入ロ１２より流入し、温風が送風管１１を伝って例えばコタツ内等の暖房対象地点に配置した放出口１３から放出される。
【００１８】
以上の構成によると、送風管１１を支持体１で支持することにより送風管１１の取入ロ１２を温風装置２１の温風を好適に取り込める高さに支持しつつ、取入ロ１２と温風装置２１の送風口２２との水平距離を取入ロ１２が温風により加熱しない距離に確実に保つことができる。そして、送風管１１または支持体１等に外力が作用しても、送風管１１や支持体１の位置の変化にあわせて間隔保持体３が変形し、外力が取り除かれると間隔保持体３の形態が元に戻り、支持体１や取入口１２の位置も元の位置に復帰することとなるので、従来のように外力の作用により位置がずれた送風管１１および支持体１を元の位置に戻すといった手間が掛からない。また、吸着手段４として磁石を用いることにより、外枠が磁性体である温風装置２１に本実施形態を容易に吸着させたり、取り外したりすることができる。また、本実施形態を温風装置２１より取り外して持ち運ぶこともできるので、様々な場所で本実施形態を使用することができる。
【符号の説明】
【００１９】
１  支持体
２  支持部
３  間隔保持体
４  吸着手段
５  土台郎
6   不連続部
7 枠
１１ 送風管
１２  取入口
１３ 放出口
２１ 温風装置
【図１】
0003167643.tif 000003
【図２】
0003167643.tif 000004
【図３】
0003167643.tif 000005